【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
支持具で吊り下げた包袋を、前記支持具と一体に搬送軌道に沿って運搬し、前記搬送軌道の充填ステーションにおいて前記包袋に被包装物を充填したあと、シールステーションで、一対のシールバーで袋口を加熱シールして密封包装体を形成する包袋の袋口のシール方法において、
前記の充填ステーションと、シールステーションとの間の、加熱ステーションに配置した一対のヒートバーの接近を制限して袋口を狭窄し、袋口に幅狭い空気流通可能な狭窄間隙を形成し、前記一対のヒートバーの加熱エネルギーでもって袋口に付着している水液を蒸発させるようにした包袋の袋口のシール方法。
【請求項２】
前記ヒートバー下域の袋口両側に配置した一対の可動材で、袋口を両側から押し込み、袋口内のヘッドスペースの容積を変化さて袋口に空気流れが生ずるようにした請求項１に記載した包袋の袋口のシール方法。
【請求項３】
支持具によって支持する包袋の搬送軌道に沿って、充填ステーション及びシールステーションを配置し、前記充填ステーションに送り込んだ包袋に被包装物を充填したあと、シールステーションにおいて前記包袋の袋口をシールバーにより加熱溶着する構成の包装装置において、
前記充填ステーションとシールステーションとの間に、加熱ステーションを配置し、該加熱ステーションに一対のヒートバーを設置し、該一対のヒートバーは、包袋の袋口を狭窄して袋口の間に通気可能な狭窄間隙が残るように、必要量以上に接近するのを制限すると共に、該ヒートバーには、袋口内面に付着する水液を加熱して蒸発させるヒータを備えたことを特徴とする包装装置。
【請求項４】
搬送軌道の充填ステーションと加熱ステーションとの間に、排水ステーションを形成すると共に、該排水ステーションに一対の縦長のノズルを設置し、排水ステーションへの包袋の到達に合わせて、一対の縦長のノズルを包袋の袋口両内側の折り溝に向けて挿入かつ接近させ、前記両ノズルの側面に形成した隙孔から、前記折り溝に真空吸引力又は圧搾空気を作用させて、折り溝に溜まる水液を排除する手段を備えた請求項３に記載の包装装置。
【請求項５】
加熱ステーションにおいて一対のヒートバーにより狭窄される袋口の上域に、周りを弾性パッキンにより保護された横方向に薄平たいノズルを配置し、ヒートバーによる袋口の狭窄作用に合わせて、前記弾性パッキンを両ヒートバーの上面境界部に押し付け、薄平たいノズルを通して袋口の狭窄間隙に、真空吸引力または圧搾空気力を作用させる手段を備える請求項３に記載の包装装置。
【請求項６】
前記一対のヒートバーは、スリーブに支持された一対のロッドの先端に備えられ、これらロッドはそれぞれリンクを介しベルクランクの両端と連結し、ベルクランクを正逆転して、一対のヒートバーを接近・離反操作する流体シリンダーを備え、包袋の袋口を狭窄して袋口の間に通気可能な狭窄間隙が残るように、両ヒートバーの必要以上の接近を阻止する要素か又は前記流体シリンダーにサーボ機能を備えたことを特徴とする請求項３に記載の包装装置。
【手続補正２】
【補正対象書類名】明細書
【補正対象項目名】全文
【補正方法】変更
【補正の内容】
【発明の詳細な説明】
【発明の名称】包装の袋口シール方法及びその包装装置
【技術分野】
【０００１】
本発明は、主として食品を収容した包袋の、袋口内面に付着する水液を除去し、しかるのち袋口をシールする方法及びその装置に関し、より詳しくは、多数組の支持具それぞれにより包袋を支持して運搬すると共に、その運搬軌道において各包袋に被包装物を充填する際になど、袋口に付着する水液を、袋口を密封する前に予め加熱蒸発させる包装の袋口シール方法およびその包装装置に関する。
【背景技術】
【０００２】
下記特許文献１の特開昭５９−１２５２２号公報では、多数組のクランパーそれぞれに包袋を支持し、各クランパーの移動でもって各包袋を運搬しながら、この運搬軌道に設けられた第１のステーションで前記包袋に，肉または野菜などの固形物を充填する包装装置を開示している。かかる包装装置では充填器の表面に付着した水液が、袋口の内面に移着する確立が極めて高く、袋口をシールする前工程として、内側に水液が付着した袋口を一対のヒートバーによって挟圧かつ加熱し、両ヒートバーの間で水液を熱膨張させて袋口内部から噴出させる技術を開示している。
【０００３】
また、特許文献２の特開２００１−３０１７１７号公報では、細幅の一対の、第１のシールバーにより袋口を挟圧しかつ線シールして水液の封じ込めを無くし、その上をさらに上下幅のある第２のシールバーにより挟圧して袋口をシールする手段を開示している。
【先行技術文献】
【特許文献】
【０００４】
【特許文献１】特開昭５９−１２５２２号公報
【特許文献２】特開２００１−３０１７１７号公報
【発明の概要】
【発明が解決しようとする課題】
【０００５】
しかし、前記特許文献１では、袋口を両側からヒートバーで挟圧して閉じ込めた水分を、前記ヒートバーの熱で袋口から短時間で蒸発させることは難しく、後域の工程で袋口をシールした場合、袋口の間に未蒸発の水液が白霧状に残存し、無色透明の包袋では、シール部に残存する蒸気の白汚模様は商品価値を低下させるという問題があった。
【０００６】
また、前記特許文献２では、第１のシールバーによる線シールを行う場合、線シールの両側に沿って袋口内部に断面V字形の溝が形成され、これら溝は水を溜めるポットとして機能するので、結局、前記の溝に溜る水液がシールバーによるシールで袋口に封じ込まれる欠点がある。
【課題を解決するための手段】
【０００７】
本発明は、上記の問題を解決するために、支持具で吊り下げた包袋を、前記支持具と一体に搬送軌道に沿って運搬し、前記搬送軌道の充填ステーションにおいて前記包袋に被包装物を充填したあと、シールステーションで、一対のシールバーで袋口を加熱シールして密封包装体を形成する包袋の袋口のシール方法において、前記の充填ステーションと、シールステーションとの間の、加熱ステーションに配置した一対のヒートバーの接近を制限して袋口を狭窄し、袋口に幅狭い空気流通可能な狭窄間隙を形成し、前記一対のヒートバーの加熱エネルギーでもって袋口に付着している水液を蒸発させる。
【０００８】
また、本発明は、上記の問題を解決するために、支持具によって支持する包袋の搬送軌道に沿って、充填ステーション及びシールステーションを配置し、前記充填ステーションに送り込んだ包袋に被包装物を充填したあと、シールステーションにおいて前記包袋の袋口をシールバーにより加熱溶着する構成の包装装置において、前記充填ステーションとシールステーションとの間に、加熱ステーションを配置し、該加熱ステーションに一対のヒートバーを設置し、該一対のヒートバーは、包袋の袋口を狭窄して袋口の間に通気可能な狭窄間隙が残るように、必要量以上に接近するのを制限する共に、該ヒートバーには、袋口内面に付着する水液を加熱して蒸発させるヒータを備える。
【０００９】
加熱ステーションにおける一対のヒートバーの加熱による水滴除去は、ヒートバーにより袋口を狭窄して行う。このように袋口に形成した狭窄間隙ではガス流通が抵抗なく自由であり、この狭窄間隙の壁面に水液が付着していても、水液は両側のヒートバーの熱でもって抵抗なく蒸発することができる。
【００１０】
なお、包袋には充填した被包装物の重量が作用しているため、包袋が断続移送を受けるとき、食品の重量に見合った慣性によって包袋が揺れ、また運搬遠心力によっても包袋に揺れが生ずるので、これらの揺れによって包袋内部のヘッドペースに体積変化が起こり、前記の狭窄間隙を通して呼吸現象が起る。つまりこの呼吸現象は狭窄間隙における空気流の発生を意味し、狭窄間隙の壁面でヒートバーの熱を受ける水液の気化を促進させ、水液の蒸発を促進する。
【発明の効果】
【００１１】
本発明は上記構成により、ヒートバーで袋口を狭窄して加熱し、予め袋口に付着した水液を狭窄間隙から除去しているので、シールバーによる袋口のシール部分では水液が封じ込まれることが少なくなり、袋口におけるシール跡の透明化は向上する。
【図面の簡単な説明】
【００１２】
【図１】加熱ステーションにおけるヒートバーの説明図
【図２】前図の、斜め下方の部分図
【図３】包袋搬送軌道の展開図
【図４】ヒートバーを作動させる装置の断面図
【図５】包装装置の平面斜視図
【図６】吸引ノズルを操作する装置の説明図
【図７】前図の部分拡大説明図
【図８】包袋の、袋口の平面図
【図９】吸引ノズルの正面図
【図１０】横長ノズルの説明図
【図１１】シール装置を説明するブロック線図
【図１２】ヒートバーにおいて狭窄間隙を形成する手段の説明図
【発明を実施するための形態】
【００１３】
図５に示す実施例は、方法の発明を実施する包装装置を示している。円盤１１はその周縁に８組の支持具１０を等間隔に配置し、各組の支持具１０は、クランプ１３をそれぞれ先端に備える一対のアーム１２によって形成されている。軸１４は前記円盤１１を矢印１５の方向に断続回転させ、各支持具１０は、丸付き文字で示した各ステーション▲１▼〜▲８▼に一時停止しながら間歇移動する。給袋ステーション▲１▼に載積する包袋２０の一枚が支持具１０に受け渡されると、支持具１０は包袋２０の袋口やや下の両側縁を挟持し、該包袋２０を吊り下げた状態で円形の搬送軌道に沿って搬送する構成である。
【００１４】
図２は、前記円盤１１の一部を斜め下方から眺めた状態を示し、２本のアーム１２は円盤１１に対してそれぞれピン１６を介して支持されている。前記両アーム１２はそれぞれ一対の扇形歯車１７を介して係合する結果、ピン１６を軸として連動する。円盤１１の下面に固定したブラケット１８はレバー１９を揺動自在にピン２１で枢支し、該レバー１９は連接棒２２を介して一側のアーム１２の端に連結されている。このため両アーム１２を引き付け合う引きばね２３の力は、レバー１９に設けた滑車２４を環状カム２５の上面に圧接する。したがって、円盤１１の矢印１５方向への回転で、前記滑車２４が環状カム２５の上部平坦面２６を転がることで、一対のクランプ１３の間隔は一定に維持される。
【００１５】
環状カム２５の上部平坦面２６は、その一部が低く、高低差があり、この低い平坦面を滑車２４が通過すると、引きばね２３の引き付け力は両クランプ１３の間隔を狭め、図５のステーション▲３▼〜▲４▼において包袋２０の袋口は両クランプの接近によって押し広げられる。つまりこれらの領域▲３▼〜▲４▼は、包袋２０に食用味付け液及び固形食品などを充填するセクションである。要するに、図３に示すようにステーション▲３▼では、包袋２０にチューブ２７を通して味付け液２８が、またステーション▲４▼では、ホッパー２９を通して包袋２０に食品３０がそれぞれ充填される。結局これら工程での作業が、袋口内面に水液を付着させる要因になっている。
【００１６】
また真空包装体を形成するために、ステーション▲５▼にへらノズル３５が配置され、へらノズル３５を挿入した袋口３６を一対のクランプ１３の離反で緊張させ、前記へらノズル３５から加熱蒸気を包袋２０内に噴射する場合がある。加熱蒸気が密封した包袋２０内で冷えて凝縮することで、包袋内に真空が作用することは一般的に知られているが、かかる工程も、袋口内面への水液の付着要因になっている。
【００１７】
袋口に付着した水液を除去するために、図５における加熱ステーション▲６▼に一対のヒートバー３１を配置しており、図４は前記のヒートバー３１を操作する装置である。この装置は、機台の上部に脚４０を介してケーシング４１を設置し、ケーシング４１内に取り付けたスリーブ４２は、それぞれ先端にヒートバー３１を備える一対のロッド４３を平行に支持する。これらロッド４３はそれぞれリンク４４を介しベルクランク４５の両端と連結し、ベルクランク４５の一端を、ピストンロッド４７を介して流体シリンダー４６の動力で操作する。つまり枢支軸４８を中心とするベルクランク４５の正逆転により、一対のヒートバー３１は接近・離反を行うが、ケーシング４１に設けたボルト４９は、可変ストッパーとしてベルクランク４５の時計方向への運動量に制限を加え、両ヒートバー３１の必要以上の接近を阻止する要素５０として機能する。
【００１８】
なお図４に示した要素５０を取り除き、流体シリンダー４６にサーボ機能を持たせ、流体シリンダー４６のサーボコントロールによってベルクランク４５の回転運動量に制限を加え、一対のヒートバー３１の相対接近量を制限させることが可能である。或いはまた、要素５０を取り除き、図１２に一部を示した一側のヒートバー３１に設けたビス５７の先端を、他側のヒートバー３１の面と対向させ、両ヒートバー３１の接近を制限して包袋２０の袋口に、設定通りの狭窄間隙５６を形成するようにもでき、ビス５７は一対のダブルナット５８の締め付けでその位置を固定することができる。
【００１９】
図１に示す一対のヒートバー３１の配置位置に、支持具１０でもって吊り下げられた包袋２０が到達すると、両側から前記のヒートバー３１が接近して袋口３６を狭窄する。両ヒートバー３１の接近によって望ましくは、袋口３６に0.1mm〜2.0mmの狭窄間隙５６を形成し、ヒータ５１により表面温度を１００℃〜２００℃に加熱したヒートバー３１は、両側から袋口３６を加熱する。この場合、一対のヒートバー３１が接近するほど、対面放射熱が大きく作用して水液の蒸発効果を高める。したがって狭窄間隙５６の数値は、高い蒸発効果が発揮される範囲で選択されるのが望ましい。
【００２０】
支持具１０に吊り下げられて間歇搬送を受ける包袋２０は、各ステーションに断続的に停止するたびに、収容した食品３０の慣性が包袋２０に働き、吊り下げられた包袋２０を揺さぶって内部のヘッドスペース５２の容積を変化させ、狭窄間隙５６に空気の流れを形成する。この空気の流れは、袋口内面に付着する水液の蒸発効果を高める。この場合、ヒートバー３１それぞれの下域に配置した一対のウレタン製の可動材５３を接近また離反させ、ヘッドスペース５２容積変化を助成することで、狭窄間隙５６での空気流通はより積極的になり水液の乾燥を効率化させることもできる。
【００２１】
包袋２０は、図５における加熱ステーション▲６▼から、後域のシールステーション▲７▼における一対のシールバー５４の間に搬入され、これらシールバー５４は、予め水液を除去した袋口３６を挟圧して溶着する。予め袋口３６の水液を除去しているのでシールバー５４による袋口３６のシール部分では水液が封じ込まれることはなく、袋口３６におけるシール跡の透明化は向上する。さらに後域の、冷却ステーション▲８▼に配置した一対の冷却バー５５は、袋口３６の熱を奪ってシール部分を固めるように機能する。
【００２２】
図８に示すように、包袋２０の袋口両内側の折り溝６０には水液６１が集中する傾向があって、外部からヒートバー３１で加熱しても蒸発率が悪く、この部分に水液６１を封じ込める可能性が高い。そこで図５のステーション▲５▼に、図６に示すように一対のブラケット６３間に水平なガイド６４を設置し、該ガイド６４に一対の立柱材６５を支持する。これら立柱材６５上端それぞれにレバー６６の枢支軸６７を支持し、前記各枢支軸６７にへら状の吸引ノズル６８を支持する。包袋２０の横幅は充填する被包装物によって種々のものが使用されるが、装置の構成上、使用する袋幅には限りがある。かかる条件に基づきガイド６４に沿って立柱材６５の間隔を変化させて使用できる。シリンダー６９におけるピストンロッド７０は二股状のリンク７１を介して一対のレバー６６と連結し、シリンダー６９の動力により吸引ノズル６８の端は矢印７２に沿って回転が可能である。両端の支持具１０に支持された包袋２０が、図示するステーションに到達すると、一対の吸引ノズル６８を袋口３６内に向けて差し入れるように回転させられる。
【００２３】
図９のように吸引ノズル６８は、外面に縦長かつ細幅の隙孔７３を備え、また図７に示すように開閉弁７４及びドレン溜め容器７５を介して真空ポンプ７６と繋がるので、前記の隙孔７３には真空吸引力が作用する。なお場合によっては、前記の真空ポンプ７６とドレン溜め容器７５とに変えてコンプレッサーを設置し、前記隙孔７３から空気を噴出させることも可能である。このようにして、図８における包袋２０の袋口両内側の折り溝６０に溜まる水液６１を、吸引ノズル６８によって除去することができ、その後、図６の後域の、加熱ステーション▲６▼におけるヒートバー３１での水液排除を向上させることができる。
【００２４】
また場合によっては、ヒートバー３１を設置した加熱ステーション▲６▼に、図１０に示す包袋２０の袋口３６の横幅よりも長く、その両側に弾性パッキン８１を取り付けた薄平たいノズル８０を配置する。支持具１０に支持して運搬される包袋２０が当該ステーションに停止し、ヒートバー３１が袋口３６を狭窄するのとほぼ同時に、両ヒートバー３１間の谷面９０に、前記弾性パッキン８１を押し付けるようにノズル８０を下降させ、気密性を保つノズル８０を通して袋口３６の狭窄間隙５６に、真空ポンプ８２による吸引力、またはコンプレッサー８３からの圧搾空気圧を作用させことで、ヒートバー３１による加熱との相乗効果によって水液を取り除き、乾燥効率を向上させることができる。
【００２５】
図５において各ステーションでの包袋２０の停止時間は、包袋２０への被包装物の充填時間、またはシールバー５４による袋口３６のシール時間を基準に設定され、約１．５秒間程度が一般的である。この基準時間に基づき形成した図１１のステップＳ１は、ヒートバー３１による袋口３６の加熱、ステップＳ２はシールバー５４による袋口３６の加熱を表す。ただステップＳ１に相当するヒートバー３１による袋口３６の加熱で水液除去を行うことができない場合、ステップＳ３、Ｓ４のごとく複数の加熱ステーションそれぞれに設けたヒートバー３１でもって水液を排除するのが望ましい。この場合ステップＳ５によるシールバー５４によるシール作用をさらに後域のステーションで行う。なおステップＳ３、Ｓ４において袋口３６に熱を２度にわたって加え、ステップＳ５でさらに熱を加えることで袋口が過加熱状態になる場合は、ステップＳ５におけるシール加熱をバイパスさせ、ステップＳ６における冷却バー５５による袋口３６の挟圧作用で袋口３６をシールすることができる。
【００２６】
図５に示す支持具１０は、一対のクランプ１３で包袋２０の両側縁を挟持する構造である。しかし包袋２０の前後両面を真空吸引式の一対のバーで吸着支持するものが公知であるので、クレームに記載した支持具１０は、このような真空吸引式のものが含まれる。また図８における包袋両側の折り溝６０は、包材を折り曲げた部分の名称である。しかし２枚の包材を重ねて張り合わせて形成した包袋２０の側縁は、折り曲げられてはおらず、厳密には折り溝は存在しない。しかしこの部分が水液６１の溜まり部となることには変わりないので、クレームではかかる包材の側縁も折り溝と呼称するものである。
【産業上の利用可能性】
【００２７】
本発明は、例えば、食品を収容した包袋の、袋口内面に付着する水液を除去し、しかるのち袋口をシールする包装装置に応用可能である。
【符号の説明】
【００２８】
▲３▼（丸付き数字）‥‥充填ステーション
▲６▼（丸付き数字）‥‥加熱ステーション
▲７▼（丸付き数字）‥‥シールステーション
１０‥‥支持具
２０‥‥包袋
３１‥‥ヒートバー
５６‥‥狭窄間隙
５２‥‥ヘッドスペース
５３‥‥可動材
５４‥‥シールバー
５０‥‥要素
６０‥‥折り溝
６８‥‥吸引ノズル
７３‥‥隙孔
８０‥‥ノズル
８１‥‥弾性パッキン
【手続補正３】
【補正対象書類名】図面
【補正対象項目名】図１
【補正方法】変更
【補正の内容】
【図１】
2010013184.tif 000001
【手続補正４】
【補正対象書類名】図面
【補正対象項目名】図１１
【補正方法】変更
【補正の内容】
【図１１】
2010013184.tif 000002
【手続補正５】
【補正対象書類名】図面
【補正対象項目名】図１２
【補正方法】変更
【補正の内容】
【図１２】
2010013184.tif 000003